(57)【要約】【課題】防水コネクタを大型化することなく、バックリテーナの外れを抑制する。【解決手段】電線Ｗが後方に引き出されるハウジング３０と、ハウジング３０内に後方から収容され、電線Ｗとハウジング３０との間を止水するゴム栓５０と、ハウジング３０の後端部に装着されることでハウジング３０からのゴム栓５０の抜け止めを行うバックリテーナ６０とを備え、バックリテーナ６０は、電線Ｗを挟み込むようにして一対の半割体６１を互いに組み合わせることで電線Ｗを挿通した状態に構成される板状のリテーナ本体６２を有しており、リテーナ本体６２には、ハウジング３０に設けられた嵌合凹部３９の内壁に対して上下方向に当接することで、半割体６１同士が離れるようにリテーナ本体６２が開くことを防止する開き防止部６８が設けられているところに特徴を有する。【選択図】図５
2015125910.tif 000002
【特許請求の範囲】
【請求項１】
電線が後方に引き出されるハウジングと、
前記ハウジング内に後方から収容され、前記電線と前記ハウジングとの間を止水するゴム栓と、
前記ハウジングの後端部に装着されることで前記ハウジングからの前記ゴム栓の抜け止めを行うバックリテーナとを備え、
前記バックリテーナは、前記電線を挟み込むようにして複数の分割体を互いに組み合わせることで前記電線を挿通した状態に構成され、前記ハウジング内において前記ゴム栓を後方から押さえる板状のリテーナ本体を有しており、
前記リテーナ本体には、前記ハウジングの内壁に対して同リテーナ本体を分割する方向に当接することで、組み合わせ位置を起点に前記分割体同士が離れるように同リテーナ本体が開くことを防止する開き防止部が設けられている防水コネクタ。
【請求項２】
前記開き防止部は、前記リテーナ本体から前方に突出した形態をなしており、
前記開き防止部は前記ハウジング内において後方に開口して設けられた嵌合凹部内に嵌合されることで、前記リテーナ本体を分割する方向に前記嵌合凹部の内壁と緊密となる請求項１記載の防水コネクタ。
【請求項３】
前記ハウジング内には、前記電線が収容されるキャビティが隔壁によって仕切られた状態で複数並んで設けられており、
前記嵌合凹部は、前記隔壁に設けられたひけ防止のための凹部である請求項１または請求項２記載の防水コネクタ。
【請求項４】
前記開き防止部は、前記分割体にそれぞれ設けられており、
前記開き防止部同士は、前記複数の分割体を互いに組み合わせることで互いに接触して組み合わされる請求項１から請求項３の何れか一項に記載の防水コネクタ。
【請求項５】
前記分割体には、前記リテーナ本体を分割する方向と交差する方向に互いに当たり合うことで、前記開き防止部同士の合わせ位置が位置ずれすることを抑制する位置ずれ防止部が設けられている請求項４記載の防水コネクタ。
【発明の詳細な説明】
【技術分野】
【０００１】
本発明は、ゴム栓を抜け止めするバックリテーナを備えた防水コネクタに関する。
【背景技術】
【０００２】
例えば、電線に外嵌されたゴム栓を抜け止めするバックリテーナを備えた防水コネクタとして、下記特許文献１に記載のものが知られている。
この防水コネクタは、複数の電線が後方から引き出される電線側コネクタハウジングと、各電線に外嵌された状態で電線側コネクタハウジング内に収容されて電線と電線側コネクタハウジングとの間を止水する複数のゴム栓と、複数のゴム栓を一括して抜け止めするバックリテーナとを備えて構成されている。
【０００３】
バックリテーナは、一対の脚部を組みあわせることで構成されるようになっており、各電線を挟み込むようにして一対の脚部を互いに組み合わせることで電線にバックリテーナが外嵌されている。バックリテーナの外周面には、外方に突出する係止突起が複数形成されており、各係止突起が電線側コネクタハウジングに設けられた複数の係合凹部にそれぞれ嵌まり込むことで、バックリテーナが電線側コネクタハウジングに固定されている。
【先行技術文献】
【特許文献】
【０００４】
【特許文献１】特開２０１０−２４６３３９号公報
【発明の概要】
【発明が解決しようとする課題】
【０００５】
ところで、上記の防水コネクタによると、バックリテーナの板厚寸法を薄くすることで、防水コネクタの小型化が図られている。しかしながら、電線側コネクタハウジングの内圧が高くなったり、電線が急な曲げ角度で曲げられたりすると、一対の脚部の合わせ位置を起点に脚部同士が離れるようにしてバックリテーナが後方に開いてしまい、電線側コネクタハウジングからバックリテーナが外れてしまう虞がある。
【０００６】
本発明は上記のような事情に基づいて完成されたものであって、防水コネクタを大型化することなく、バックリテーナの外れを抑制することを目的とする。
【課題を解決するための手段】
【０００７】
上記の目的を達成するための手段として本発明は、電線が後方に引き出されるハウジングと、前記ハウジング内に後方から収容され、前記電線と前記ハウジングとの間を止水するゴム栓と、前記ハウジングの後端部に装着されることで前記ハウジングからの前記ゴム栓の抜け止めを行うバックリテーナとを備え、前記バックリテーナは、前記電線を挟み込むようにして複数の分割体を互いに組み合わせることで前記電線を挿通した状態に構成され、前記ハウジング内において前記ゴム栓を後方から押さえる板状のリテーナ本体を有しており、前記リテーナ本体には、前記ハウジングの内壁に対して同リテーナ本体を分割する方向に当接することで、組み合わせ位置を起点に前記分割体同士が離れるように同リテーナ本体が開くことを防止する開き防止部が設けられているところに特徴を有する。
【０００８】
このような構成のコネクタによると、ハウジングの内圧が高くなったり、バックリテーナから後方に引き出された電線が急な曲げ角度で曲げられたりした際に、開き防止部がハウジングの内壁に対してリテーナ本体が分割する方向に当接するから、組み合わせ位置を起点にリテーナ本体が開くことを抑制することができる。
すなわち、リテーナ本体の厚さ寸法を厚くしてバックリテーナの開きを抑制する場合に比べて、コネクタを大型化させることなく、バックリテーナがハウジングから外れることを防ぐことができる。
【０００９】
本発明の実施の態様として、以下の構成が好ましい。
前記開き防止部は、前記リテーナ本体から前方に突出した形態をなしており、前記開き防止部は前記ハウジング内において後方に開口して設けられた嵌合凹部内に嵌合されることで、前記リテーナ本体を分割する方向に前記嵌合凹部の内壁と緊密となる構成としてもよい。
このような構成によると、開き防止部をハウジングの嵌合凹部に嵌合させることで、開き防止部と嵌合凹部の内壁とが緊密な状態となり、リテーナ本体の開きを抑制することができる。
【００１０】
前記ハウジング内には、前記電線が収容されるキャビティが隔壁によって仕切られた状態で複数並んで設けられており、前記嵌合凹部は、前記隔壁に設けられたひけ防止のための凹部である構成としてもよい。
このような構成によると、ひけ防止のために形成された凹部を嵌合凹部としているから、ハウジングに嵌合凹部を別途設ける場合に比べて、ハウジングが大型化することを防ぐことができる。
【００１１】
前記開き防止部は、前記分割体にそれぞれ設けられており、前記開き防止部同士は、前記複数の分割体を互いに組み合わせることで互いに接触して組み合わされる構成としてもよい。
このような構成によると、ハウジングの内壁と開き防止部とが当接することに加えて、開き防止部同士が接触し、各開き防止部とハウジングとがリテーナ本体を分割する方向に一続きに連なって一体となるから、開き防止部同士が離れた状態でハウジングの内壁と開き防止部とが当接する場合に比べて、リテーナ本体が開くことをより確実に抑制することができる。
【００１２】
前記分割体には、前記リテーナ本体を分割する方向と交差する方向に互いに当たり合うことで、前記開き防止部同士の合わせ位置が位置ずれすることを抑制する位置ずれ防止部が設けられている構成としてもよい。
このような構成によると、位置ずれ防止部がリテーナ本体を分割する方向と交差する方向に互いに当たり合うことで、リテーナ本体の合わせ位置がリテーナ本体を分割する方向と交差する方向に位置ずれすることを抑制することができる。この結果、開き防止部同士の位置ずれも抑制され、開き防止部同士の合わせ代が減少することを防ぐことができる。
【発明の効果】
【００１３】
本発明によれば、防水コネクタを大型化することなく、バックリテーナの外れを抑制することができる。
【図面の簡単な説明】
【００１４】
【図１】防水コネクタの背面図
【図２】防水コネクタが図１のＡ−Ａ位置において一部破断した状態に相当する一部破断平面図
【図３】図２のＢ−Ｂ線断面図
【図４】ハウジングの背面図
【図５】ハウジングにバックリテーナを装着した状態を示す断面図であって、図４のＣ−Ｃ位置の断面に相当する断面図
【図６】バックリテーナの正面図
【図７】同平面図
【図８】同側面図
【図９】一対の半割体を開いた状態のバックリテーナの正面図
【発明を実施するための形態】
【００１５】
＜実施形態＞
本発明の一実施形態について図１から図９を参照して説明する。
本実施形態は、図２および図３に示すように、電線Ｗの端末に設けられる防水コネクタ１０を例示している。この防水コネクタ１０は、車両に搭載される機器のケース（図示せず）の取付孔に装着され、ケース内に設けられた図示しない機器側接続部と接続されるものである。なお、以下の説明では、前後方向とは、図２および図３における左右方向を基準とし、ケースに装着される図示左側を前側として説明する。
【００１６】
防水コネクタ１０は、図３に示すように、電線Ｗの端末に接続された複数の端子２０と、これらの端子２０が後方から収容されることにより複数の電線Ｗが後方に引き出される合成樹脂製のハウジング３０と、電線Ｗに外嵌されてハウジング３０の後端部に装着される環状のゴム栓５０と、ゴム栓５０を抜け止めする合成樹脂製のバックリテーナ６０とを備えて構成されている。
【００１７】
電線Ｗは、図３に示すように、芯線Ｗ１を絶縁被覆Ｗ２で覆った構成とされている。電線Ｗの端末において絶縁被覆Ｗ２を皮剥ぎすることで芯線Ｗ１が露出され、この露出した芯線Ｗ１に端子２０が接続されている。
【００１８】
端子２０は、図３に示すように、機器側接続部と接続される平板状の接続部２１と、電線Ｗの芯線Ｗ１に圧着される電線接続部２３と、接続部２１と電線接続部２３との間を前後方向に繋ぐ繋ぎ部２２とを備えて構成されている。
接続部２１には、板厚方向に貫通する貫通孔２４が設けられている。貫通孔２４には、図示しないボルトが挿通可能とされており、ボルトを貫通孔２４に挿通させて機器側接続部に締め込むことにより機器側接続部と接続部２１とが電気的に接続されるようになっている。
【００１９】
ハウジング３０は、図３から図５に示すように、幅方向に横長な略円柱状に形成されており、ハウジング３０の前端部は、ケースの取付孔に嵌合可能な嵌合部３１とされている。嵌合部３１の外周面には、環状のシールリング３２が装着されており、嵌合部３１が取付孔に嵌合されると、シールリング３２がハウジング３０の外周面と取付孔の内周面とに密着することで、ケースとハウジング３０との間が止水されるようになっている。
ハウジング３０の嵌合部３１よりも後方部分は、嵌合部３１よりも上下方向に小さい高さ寸法に形成されており、ハウジング３０における嵌合部３１の後方には、金属板材をプレス加工することによって形成されたシールドシェル４０が装着されている。
【００２０】
シールドシェル４０は、図１から図３に示すように、ハウジング３０の外周面に外嵌される筒状部４１と、筒状部４１の前縁から径方向に広がるフランジ部４２と、フランジ部４２の上縁における幅方向両端部から前方に延出された一対の取付片４３とを備えて構成されている。
各取付片４３は平板状をなし、各取付片４３には、図２に示すように、板厚方向に貫通するボルト挿通孔４４が設けられている。ボルト挿通孔４４には、図示しない固定ボルトが挿通可能とされており、ボルト挿通孔４４に固定ボルト（図示せず）を挿通させてケースに締め込むことにより、シールドシェル４０がケースに固定されると共に、電気的に接続されるようになっている。
【００２１】
筒状部４１は、幅方向に横長の円筒状をなし、ハウジング３０に対して後方から装着されるようになっている。ハウジング３０の上下両面には、図２および図３に示すように、筒状部４１の後端縁を後方から係止する複数の係止片３４が形成されている。筒状部４１をハウジング３０に対して後方から装着すると、図３に示すように、フランジ部４２が嵌合部３１の後端面に当接して前止まりされ、筒状部４１の後端縁が各係止片３４に後方から係止されることで、筒状部４１がハウジング３０に対して外嵌された状態に保持されている。
筒状部４１の外周には、ハウジング３０から後方に引き出された複数の電線Ｗを一括して包囲する筒状の編組線４５が装着可能とされている。筒状部４１の外周面に編組線４５の端末を被せ、さらにその外周に環状のかしめリング４６をかしめ付けることにより、編組線４５が筒状部４１に電気的に接続された状態で装着されている。
【００２２】
ハウジング３０内には、図２から図４に示すように、各端子２０を個別に収容するキャビティ３５が幅方向に複数並んで形成されており、隣り合うキャビティ３５は、図２から図４に示すように、前後方向に延びる隔壁３６によって仕切られている。
各キャビティ３５は、ハウジング３０を前後方向に貫通して形成されており、キャビティ３５には、ハウジング３０の前端から接続部２１を前方に突出させた状態で端子２０が後方から収容されている。
【００２３】
キャビティ３５の上面には、図３に示すように、前方に向かって片持ち状に延出されたランス３７が設けられている。このランス３７が端子２０の繋ぎ部２２に設けられた係止孔２５に嵌まり込むことで端子２０がキャビティ３５内において抜け止めされた状態に保持されている。
また、キャビティ３５には、図３に示すように、端子２０の繋ぎ部２２、電線接続部２３および電線Ｗの端末部分が収容されており、電線Ｗの端末部分における絶縁被覆Ｗ２の外周面にゴム栓５０が外嵌されている。
【００２４】
ゴム栓５０は、図２および図３に示すように、前後方向に厚肉の環状に形成されている。ゴム栓５０がキャビティ３５に収容されると、ゴム栓５０が電線Ｗの絶縁被覆Ｗ２の外周面およびキャビティ３５の内周面に密着し、ハウジング３０と各電線Ｗとの間が止水されるようになっている。
キャビティ３５の内周面には、図３および図４に示すように、径方向内側に向かって突出する前止まり部３８が形成されている。この前止まり部３８は、図２から図４に示すように、嵌合部３１からキャビティ３５の後端部まで真っ直ぐ延びた形態をなし、キャビティ３５の四方に配されている。ゴム栓５０がキャビティ３５内に後方から収容されると、ゴム栓５０の前端面が前止まり部３８の後端面に当接することで前止まりされるようになっている。
【００２５】
キャビティ３５内におけるゴム栓５０の後方には、図２および図３に示すように、各ゴム栓５０を一括して抜け止めするバックリテーナ６０が装着されている。
バックリテーナ６０は、ハウジング３０に対して後方から組み付けられるようになっている。バックリテーナ６０は、ゴム栓５０よりも厚みが薄い平板状のリテーナ本体６２を有している。リテーナ本体６２は、ハウジング３０に対してバックリテーナ６０が正規の位置に組み付けられると、ハウジング３０の後端面とリテーナ本体６２の後端面とが面一となるようにハウジング３０内に収容されるようになっている。
【００２６】
リテーナ本体６２は、図６に示すように、電線Ｗが個別に挿通される環状のゴム栓押さえ６３を幅方向に横並びにし、隣り合うゴム栓押さえ６３を連結部６４によって幅方向に連結させた形態とされている。ゴム栓押さえ６３は、図１に示すように、キャビティ３５の内径とほぼ同じ外径に形成されており、ハウジング３０に対してバックリテーナ６０が正規の位置に組み付けられると、ゴム栓押さえ６３がハウジング３０内に収容され、ゴム栓押さえ６３の外周面とハウジング３０の内周面とが緊密な状態となるように設定されている。連結部６４は、幅方向に真っ直ぐ延びた形態をなし、隣り合うゴム栓押さえ６３の間隔が隣り合うキャビティ３５の間隔と同一となるように各ゴム栓押さえ６３を幅方向に連結している。
【００２７】
また、バックリテーナ６０は、図６および図８に示すように、一対の半割体（「分割体」に相当する）６１を互いに組み合わせることで構成されるようになっている。一対の半割体６１は、幅方向の一端側に設けられたヒンジ６５によって連結されており、このヒンジ６５を中心に他端側が開閉されるようにして一対の半割体６１が上下に二分割されるようになっている。また、各電線Ｗを上下から挟み込むように一対の半割体６１を互いに組み付けることで、各ゴム栓押さえ６３に電線Ｗが挿通されたバックリテーナ６０が構成されるようになっている。
【００２８】
一対の半割体６１の合わせ位置には、図８および図９に示すように、前側と後側とで合わせ面が上下にずれた上下一対の位置ずれ防止部６６が各半割体６１にそれぞれ設けられている。詳細には、図９に示すように、上側の半割体６１における図示左側の連結部６４の合わせ位置には、後側（紙面奥側）に配された後側位置ずれ防止部６６Ｒが形成されており、後側位置ずれ防止部６６Ｒは、図示左側における連結部６４の左側に連なるゴム栓押さえ６３の右側端部から同連結部６４の右側に連なるゴム栓押さえ６３の左側端部にまで亘って形成されている。
また、上側の半割体６１における図示右側の連結部６４の合わせ位置には、前側（紙面手前側）に配された前側位置ずれ防止部６６Ｆが形成されており、前側位置ずれ防止部６６Ｆも、後側位置ずれ防止部６６Ｒと同様に、図示右側における連結部６４の左側に連なるゴム栓押さえ６３の右側端部から同連結部６４の右側に連なるゴム栓押さえ６３の左側端部にまで亘って形成されている。また、上側の半割体６１において図示右側のゴム栓押さえ６３における右側端部の合わせ位置には、後側（紙面奥側）に配された後側位置ずれ防止部６６Ｒが形成されている。
【００２９】
下側の半割体６１における図示左側の連結部６４の合わせ位置には、前側（紙面手前側）に配された前側位置ずれ防止部６６Ｆが形成されており、この前側位置ずれ防止部６６Ｆは、図示左側における連結部６４の左側に連なるゴム栓押さえ６３の右側端部から同連結部６４の右側に連なるゴム栓押さえ６３の左側端部にまで亘って形成されている。
また、下側の半割体６１における図示右側の連結部６４の合わせ位置には、後側（紙面奥側）に配された後側位置ずれ防止部６６Ｒが形成されており、後側位置ずれ防止部６６Ｒは、図示右側における連結部６４の左側に連なるゴム栓押さえ６３の右側端部から同連結部６４の右側に連なるゴム栓押さえ６３の左側端部にまで亘って形成されている。また、下側の半割体６１において図示右側のゴム栓押さえ６３における右側端部の合わせ位置には、前側（紙面手前側）に配された前側位置ずれ防止部６６Ｆが形成されている。
【００３０】
そして、一対の半割体６１を互いに組み付けてバックリテーナ６０を構成すると、図８に示すように、上側の半割体６１の前側位置ずれ防止部６６Ｆと下側の半割体６１の後側位置ずれ防止部６６Ｒとが前後方向に組み合わされると共に、上側の半割体６１の後側位置ずれ防止部６６Ｒと下側の半割体６１の前側位置ずれ防止部６６Ｆとが前後方向に組み合わされ、一対の半割体６１が前後方向に互いに位置ずれすることが抑制される。
【００３１】
各ゴム栓押さえ６３の上下両端部には、図３、図５および図６に示すように、径方向外側に突出する係止突起６７が形成されている。この係止突起６７は、ハウジング３０の後端部における上下面に設けられたロック孔３３に嵌合可能とされており、ハウジング３０に対してバックリテーナ６０が正規の位置に組み付けられると、係止突起６７がロック孔３３に嵌まり込むことで、バックリテーナ６０がハウジング３０の後端部に固定されるようになっている。そして、バックリテーナ６０がハウジング３０に対して固定されると、ゴム栓５０がキャビティ３５の前止まり部３８によって前止まりされると共に、バックリテーナ６０のゴム栓押さえ６３に後方から係止されることで、ゴム栓５０が抜け止めされる。
【００３２】
さて、リテーナ本体６２には、ハウジング３０の隔壁３６に設けられた嵌合凹部３９に嵌合可能な開き防止部６８が複数設けられており、各開き防止部６８は、ハウジング３０にバックリテーナ６０が装着される過程で嵌合凹部３９にそれぞれ嵌合されるようになっている。
嵌合凹部３９は、図２、図４および図５に示すように、隔壁３６のひけを防止するための凹部であって、各隔壁３６の後端面において後方に開口する形態とされている。嵌合凹部３９は、幅方向に隣接するキャビティ３５の形状に合わせることで、上下方向略中央部が上下両端部に比べてやや幅狭に形成されており、嵌合凹部３９の深さは、隔壁３６の後端から前方に向けて嵌合部３１の後部まで凹んだ大きさとされている。
【００３３】
一方、開き防止部６８は、図２、図５から図８に示すように、各半割体６１における連結部６４の前端面６４Ａにそれぞれ形成されている。各開き防止部６８は、連結部６４の前端面６４Ａから前方に突出する正面視略矩形の角柱状をなし、上側の半割体６１の開き防止部６８と下側の半割体６１の開き防止部６８とが上下に対向するように各半割体６１における連結部６４の前端面６４Ａに全高に亘って形成されている。各開き防止部６８の突出寸法は、連結部６４の前後方向の厚さ寸法よりも大きく設定されている。また、開き防止部６８は、一対の半割体６１が互いに組み付けられると、上側の半割体６１における開き防止部６８の下面と下側の半割体６１における開き防止部６８の上面とが互いに接触して一体に組み合わされ、連結部６４の全高に亘って形成された上下方向に長い開き防止壁６９を構成する。
【００３４】
開き防止壁６９の高さ寸法は、嵌合凹部３９の高さ寸法とほぼ同じとなっており、開き防止壁６９が嵌合凹部３９内に嵌合されると、開き防止壁６９の上下面が嵌合凹部３９の上下の内壁に対して緊密に配されるようになっている。
つまり、バックリテーナ６０は、図５に示すように、開き防止壁（開き防止部６８）６９が嵌合凹部３９内に嵌合されることで、リテーナ本体６２の厚さ寸法よりも前後方向に大きな長さ寸法でハウジング３０と緊密な状態となるように構成されている。
【００３５】
本実施形態の防水コネクタ１０は、以上のような構成であって、次に、防水コネクタ１０の組み立て方法を簡単に説明し、続けて、防水コネクタ１０の作用効果を説明する。
まず、ハウジング３０に対してシールドシェル４０を後方から組み付け、ハウジング３０にシールドシェル４０を装着する。次に、電線Ｗにゴム栓５０を先通しする。そして、電線Ｗの端末において絶縁被覆Ｗ２を皮剥ぎして芯線Ｗ１を露出させ、この露出した芯線Ｗ１に端子２０の電線接続部２３を圧着することで電線Ｗの端末に端子２０を接続する。
【００３６】
電線Ｗの端末に端子２０が接続されたところで、この端子２０をハウジング３０のキャビティ３５に後方から挿入する。ハウジング３０の前端から端子２０の接続部２１を突出させたところで、端子２０の繋ぎ部２２における係止孔２５にハウジング３０のランス３７が嵌まり込み、端子２０がキャビティ３５内において抜け止めされた状態に保持される。
【００３７】
次に、予め電線Ｗに先通ししておいたゴム栓５０をキャビティ３５に対して後方から挿入し、ゴム栓５０が前止まり部３８に後方から当接することで前止まりされ、ゴム栓５０がキャビティ３５内に装着される。そして、ゴム栓５０が電線Ｗの外周面およびキャビティ３５の内周面に全周に亘って密着することで、電線Ｗとハウジング３０との間が止水される。
【００３８】
次に、各電線Ｗを上下から挟み込むように一対の半割体６１を互いに組み合わせることで、各ゴム栓押さえ６３に電線Ｗが挿通されたバックリテーナ６０を構成する。また、バックリテーナ６０が構成されると、上側の半割体６１の各開き防止部６８と下側の半割体６１の各開き防止部６８とが上下方向に互いに接触して一体に組み合わされ、開き防止壁６９が構成される。
【００３９】
バックリテーナ６０が構成されたところで、開き防止壁６９をハウジング３０の各嵌合凹部３９内に後方から嵌合させつつ、ハウジング３０の後端部内にリテーナ本体６２を後方から挿入する。そして、ハウジング３０に対してバックリテーナ６０が正規の位置に至ると、開き防止壁６９の上下面が嵌合凹部３９の上下の内壁に対して緊密に配される。また、ハウジング３０のロック孔３３にリテーナ本体６２の係止突起６７が嵌まり込むことで、バックリテーナ６０がハウジング３０の後端部に固定され、ゴム栓５０がバックリテーナ６０によって抜け止めされる。
【００４０】
最後に、複数の電線Ｗを一括して包囲する編組線４５をシールドシェル４０の筒状部４１の外周面に被せ、かしめリング４６をかしめ付けて編組線４５をシールドシェル４０に接続することで、防水コネクタ１０が完成する。
【００４１】
次に、防水コネクタ１０を機器のケースに固定する手順を説明する。
まず、ケースの取付孔にハウジング３０の嵌合部３１を嵌合させる。取付孔に嵌合部３１が嵌合されると、シールリング３２によってケースとハウジング３０との間が止水される。また、シールドシェル４０のフランジ部４２および取付片４３がケースの外面に接触する。
次に、取付片４３のボルト挿通孔４４に固定ボルト（図示せず）を挿通してケースに締め込むことにより、防水コネクタ１０がケースに固定される。
【００４２】
ところで、ケースに固定された防水コネクタ１０のバックリテーナ６０は、防水コネクタ１０の小型化を図るため、リテーナ本体６２の厚さ寸法が薄く設定されている。しかしながら、熱の影響などによりケースやハウジング３０の内圧が高くなったり、ハウジング３０から後方に引き出された電線Ｗが急な曲げ角度で曲げられたりすると、バックリテーナ６０における一対の半割体６１の合わせ位置を起点に半割体６１同士が離れるようにしてバックリテーナ６０が後方に開くことが懸念される。
【００４３】
ところが、本実施形態によると、バックリテーナ６０の開き防止壁（開き防止部６８）６９がハウジング３０の隔壁３６に設けられた嵌合凹部３９に嵌合され、リテーナ本体６２の厚さ寸法よりも前後方向に大きな長さ寸法で開き防止壁６９と嵌合凹部３９の内壁とが上下方向に緊密となっている。つまり、半割体６１の合わせ位置を起点にリテーナ本体６２が後方に開こうとすると、開き防止壁６９が嵌合凹部３９の内壁に対して上下方向（バックリテーナ６０を分割する方向）に当接し、バックリテーナ６０が後方に開くことを抑制することができる。
これにより、例えば、リテーナ本体の厚さ寸法を厚くしてバックリテーナの開きを防止する場合に比べて、防水コネクタ１０を大型化することなく、バックリテーナ６０がハウジング３０から外れることを防ぐことができる。
【００４４】
また、本実施形態によると、上下一組の開き防止部６８によって構成された開き防止壁６９が嵌合凹部３９の内壁に対して上下方向に緊密に配されているから、リテーナ本体６２が後方に開こうとすると、開き防止壁６９と嵌合凹部３９とが上下方向に一続きに連なって一体となり、リテーナ本体６２が後方に開くことを抑制する。
つまり、上側の半割体における開き防止部と下側の半割体における開き防止部とが上下に離れて配されている場合には、上側の開き防止部と下側の開き防止部との間の領域に何れかの開き防止部が進入して半割体が傾く嫌いがあるところ、本実施形態によると、開き防止部６８同士が一体となって開き防止壁６９を形成しているから、リテーナ本体６２が開くことをより確実に抑制することができる。
【００４５】
また、本実施形態によると、バックリテーナ６０が構成されると、各半割体６１の位置ずれ防止部６６が前後方向に組み合わされ、一対の半割体６１が前後方向に互いに位置ずれすることが抑制される。したがって、開き防止壁６９の開き防止部６８同士の前後の位置ずれも抑制され、開き防止部６８同士の合わせ代が減少することを防ぐことができる。
さらに、本実施形態によると、隔壁３６のひけを防止する凹部を嵌合凹部３９として利用しているから、ハウジングに嵌合凹部を別途設ける場合に比べて、ハウジング３０が大型化することを防ぐことができる。
【００４６】
以上のように本実施形態の防水コネクタ１０によると、隔壁３６のひけを防止するための嵌合凹部３９にバックリテーナ６０の連結部６４における開き防止壁（開き防止部６８）６９を嵌合させるだけで、バックリテーナ（リテーナ本体６２）６０が一対の半割体６１の合わせ位置を起点に後方に開くことを抑制することができるから、防水コネクタ１０を大型化することなく、バックリテーナ６０がハウジング３０から外れることを防ぐことができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では、バックリテーナ６０を構成すると、上側の半割体６１の開き防止部６８と下側の半割体６１の開き防止部６８とが一体となって開き防止壁６９が構成されるが、本発明はこのような態様に限定されるものではなく、例えば、バックリテーナの構成後も、上側の半割体の開き防止部と下側の半割体の開き防止部とが離れた状態のままであってもよい。
（２）上記実施形態では、バックリテーナ６０が一対の半割体６１によって構成されているが、本発明はこのような態様に限定されるものではなく、例えば、バックリテーナが３つ以上の分割体によって構成されていてもよい。
（３）上記実施形態では、隔壁３６に嵌合凹部３９を１つ設けて、この嵌合凹部３９に上側の半割体６１の開き防止部６８と下側の半割体６１の開き防止部６８とを一括して嵌合させる構成としたが、本発明はこのような態様に限定されるものではなく、例えば、隔壁に上下二段の嵌合凹部を形成し、上側の半割体の開き防止部と下側の半割体の開き防止部とをそれぞれ個別に嵌合凹部に嵌合させる構成にしてもよい。
【符号の説明】
【００４８】
１０：防水コネクタ
３０：ハウジング
３６：隔壁
３５：キャビティ
３９：嵌合凹部
５０：ゴム栓
６０：バックリテーナ
６１：半割体（分割体）
６２：リテーナ本体
６６：位置ずれ防止部
６８：開き防止部
６９：開き防止壁（開き防止部）
Ｗ：電線
【図１】
2015125910.tif 000003
【図２】
2015125910.tif 000004
【図３】
2015125910.tif 000005
【図４】
2015125910.tif 000006
【図５】
2015125910.tif 000007
【図６】
2015125910.tif 000008
【図７】
2015125910.tif 000009
【図８】
2015125910.tif 000010
【図９】
2015125910.tif 000011